(57)【要約】【課題】各面の構成部材を簡単に結合して一体化できる枠組式運搬箱を提供する。【解決手段】底面板１の周囲に側面板２，３を立設した枠組式運搬箱において、底面板１の周縁に、塑性変形可能な材料からなる保持片１８，１９を取り付け、保持片１９に鉤状部１９ａを設け、保持片１８，１９の先端部を外側へ広げておき、側面板２，３の下部を保持片１８，１９の内側に差し込んで、保持片１８，１９の先端部を叩き入れることにより、側面板２を保持片１８と底面板１とで挟持すると共に、鉤状部１９ａを側面板３のパネル３６下部に突き刺して、底面板１と側面板３とを結合する。また、側面板２，３の上部に被せる蓋４を、その周縁に取り付けた保持片４５を叩き入れて固定する。【選択図】図１
2007039054.tif 000002
【特許請求の範囲】
【請求項１】
底面板１の周囲に側面板２，３を立設した枠組式運搬箱において、底面板１の周縁に、塑性変形可能な材料からなる保持片１８，１９を取り付け、保持片１８，１９の先端部を外側へ広げておき、側面板２，３の下部を保持片１８，１９の内側に差し込んで、保持片１８，１９の先端部を叩き入れることにより、側面板２，３を底面板１に固定するようにしたことを特徴とする枠組式運搬箱。
【請求項２】
請求項１に記載の枠組式運搬箱において、保持片１９に鉤状部１９ａを設け、保持片１９の叩き入れに伴い、鉤状部１９ａを側面板３のパネル３６下部に突き刺して、底面板１と側面板３とを結合するようにしたことを特徴とする枠組式運搬箱。
【請求項３】
請求項２に記載の枠組式運搬箱において、一対の側面板２の両側上部を、他対の側面板３の上材３２で抑え込み、他対の側面板３にのみ保持片１９の鉤状部１９ａを突き刺すようにしたことを特徴とする枠組式運搬箱。
【請求項４】
請求項１乃至３のいずれかに記載の枠組式運搬箱において、側面板２，３の上部に蓋４を被せ、この蓋４の周縁に、塑性変形可能な材料からなる保持片４５を取り付け、保持片４５の叩き入れに伴い、その鉤状部４５ａを側面板３のパネル３６上部に突き刺して、蓋４と側面板３とを結合するようにしたことを特徴とする枠組式運搬箱。
【発明の詳細な説明】
【技術分野】
【０００１】
この発明は、物品の運搬に使用する枠組式運搬箱に関するものである。
【背景技術】
【０００２】
例えば、自動車用エンジン等の重量物品を運搬する際には、パレット状の底面板の周囲に、金属製フレームにパネルを取り付けた側面板を立設して組み立てる枠組式運搬箱が使用されている。この運搬箱では、荷役作業時等における安定性を向上させるため、物品の積み込み後、底面板に側面板をボルトで固定して、これらを一体化させている。
【発明の開示】
【発明が解決しようとする課題】
【０００３】
しかしながら、上記のような運搬箱において、側面板を底面板に固定するためには、側面板に形成した貫通穴と、底面板に形成したねじ穴とを一致させ、貫通穴を介してボルトをねじ穴にねじ込む必要があり、この作業に手間がかかるという問題がある。
【０００４】
そこで、この発明は、物品の積み込み後、各面の構成部材を簡単に結合して一体化できる枠組式運搬箱を提供することを課題とする。
【課題を解決するための手段】
【０００５】
上記課題を解決するため、この発明は、底面板の周囲に側面板を立設した枠組式運搬箱において、底面板の周縁に、塑性変形可能な材料からなる保持片を取り付け、保持片の先端部を外側へ広げておき、側面板の下部を保持片の内側に差し込んで、保持片の先端部を叩き入れることにより、側面板を底面板に固定するようにしたのである。
【０００６】
また、保持片に鉤状部を設け、保持片の叩き入れに伴い、鉤状部を側面板の下部に突き刺して、底面板と側面板とを結合するようにしたのである。
【０００７】
また、一対の側面板の両側上部を、他対の側面板の上材で抑え込み、他対の側面板にのみ保持片の鉤状部を突き刺すようにしたのである。
【０００８】
さらに、側面板の上部に蓋を被せ、この蓋の周縁に、塑性変形可能な材料からなる保持片を取り付け、保持片の叩き入れに伴い、その鉤状部を側面板の上部に突き刺して、蓋と側面板とを結合するようにしたのである。
【発明の効果】
【０００９】
この枠組式運搬箱では、保持片をハンマー等で叩き入れるだけで、底面板と側面板とを固定でき、その上に被せる蓋を固定して、これらを簡単に一体化できるので、物品積込時の組立作業を迅速に行うことができる。
【発明を実施するための最良の形態】
【００１０】
以下、この発明の実施形態を添付図面に基づいて説明する。
【００１１】
この枠組式運搬箱は、図１及び図２に示すように、パレット状の底面板１と、その周囲に立設される各一対の長面及び短面の側面板２，３と、その上に被せられる蓋４と、対向する側面板２の上部間に渡される３本の天梁材５とを構成部材とするものである。
【００１２】
底面板１は、両端及び中間の滑材１１，１２と床受材１３とを縦横に組み合わせてパレット状とし、滑材１１，１２の端部に端材１４を渡して、周囲に側面板２，３の載置面を設け、四隅にＬ字状のコーナー支柱１５を取り付け、上面にプラスチックダンボール製の床板１６を敷き、その上面に物品支持台１７を取り付けたものとされている。
【００１３】
側面板２は、下材２１と上材２２の間に両端及び中間の縦材２３，２４を渡してフレーム２５を形成し、その外面にプラスチックダンボールのパネル２６を取り付けた構成とされ、上材２２の両端部は縦材２３の外側面より内側に後退している。
【００１４】
側面板３は、下材３１と上材３２の間に両端及び中間の縦材３３，３４を渡してフレーム３５を形成し、その外面にプラスチックダンボールのパネル３６を取り付けた構成とされ、上材３２の両端部は縦材３３から外側へ突出している。
【００１５】
蓋４は、各一対の長短の横材４１及び縦材４２から外枠を形成し、横材４１の中央間に中材４３を渡し、四隅に段積金具４４を取り付けた構成とされ、段積金具４４には、段積み時の積みずれを防止する凸部４４ａが設けられている。なお、段積み時に最上段となる蓋４には、プラスチックダンボールのパネルが取り付けられることもある。
【００１６】
また、底面板１の滑材１２には、端面に保持片１８が取り付けられ、滑材１１には、長さ方向外面に保持片１９が取り付けられている。保持片１８，１９は、塑性変形可能な金属板から成り、図３に示すように、底面板１の上方に突出し、保持片１９の先端部には鉤状部１９ａが内向きに設けられている。
【００１７】
さらに、蓋４の縦材４２には、長さ方向上面に保持片４５が取り付けられ、この保持片４５は、保持片１８，１９と同様、塑性変形可能な金属板から成り、図６に示すように、蓋４の外方に突出し、保持片４５の先端部には鉤状部４５ａが設けられている。
【００１８】
上記のような運搬箱で物品を運搬する際には、底面板１の物品支持台１７に物品を積み込んだ後、底面板１に側面板２，３をセットする。このとき、図３に示すように、保持片１８，１９の先端部を予め外側へ広げておき、まず、側面板２の下部を保持片１８の内側に差し込み、次いで、側面板３の下部を保持片１９の内側に差し込んで、側面板２，３を滑材１１，１２に載置する。
【００１９】
このように側面板２，３をセットすると、側面板２，３の外側への転倒がコーナー支柱１５により防止され、内側への転倒が端材１４及び床受材１３により防止される。また、図６に示すように、側面板２の縦材２３が側面板３の上材３２により抑え込まれる。
【００２０】
そして、図４に示すように、保持片１８の先端部を叩き入れて、側面板２を保持片１８と端材１４とで挟持すると共に、図５に示すように、保持片１９の先端部を叩き入れて、鉤状部１９ａを側面板３のパネル３６の下部に突き刺すと、側面板３が底面板１に固定され、また、側面板３で抑え込まれた側面板２が底面板１に固定される。
【００２１】
その後、図１に示すように、対向する側面板２の上部間に３本の天梁材５を渡し、図６に示すように、側面板２，３の上部に蓋４を被せ、図７に示すように、保持片４５を叩き入れて、鉤状部４５ａを側面板３のパネル３６の上部に突き刺すと、蓋４が側面板３に固定され、図１に示すように、各構成部材が一体化される。
【００２２】
このように、上記枠組式運搬箱では、保持片１８，１９，４５を叩き入れるだけで、底面板１と側面板２，３とを固定でき、その上に被せる蓋４を固定して、これらを簡単に一体化できるので、物品積込時の組立作業を迅速に行うことができる。なお、運搬箱を段積みする必要がない場合等には、蓋４を省略してもよい。
【図面の簡単な説明】
【００２３】
【図１】この発明に係る枠組式運搬箱の組立状態を示す斜視図
【図２】同上の構成部材を示す分解斜視図
【図３】同上の組立過程の下角部を示す部分斜視図
【図４】同上の一方の側面板のセット状態を示す部分断面図
【図５】同上の他方の側面板のセット状態を示す部分断面図
【図６】同上の蓋を被せる過程の上角部を示す部分斜視図
【図７】同上の蓋の固定状態を示す部分断面図
【符号の説明】
【００２４】
１  底面板
２，３  側面板
４  蓋
５  天梁材
１１，１２  滑材
１３  床受材
１４  端材
１５  コーナー支柱
１６  床板
１７  物品支持台
１８，１９  保持片
１９ａ  鉤状部
２１  下材
２２  上材
２３，２４  縦材
２５  フレーム
２６  パネル
３１  下材
３２  上材
３３，３４  縦材
３５  フレーム
３６  パネル
４１  横材
４２  縦材
４３  中材
４４  段積金具
４４ａ  凸部
４５  保持片
４５ａ  鉤状部
【図１】
2007039054.tif 000003
【図２】
2007039054.tif 000004
【図３】
2007039054.tif 000005
【図４】
2007039054.tif 000006
【図５】
2007039054.tif 000007
【図６】
2007039054.tif 000008
【図７】
2007039054.tif 000009